(57)【特許請求の範囲】
【請求項１】
前扉の操作部表装板に設けた取付孔に操作ボタンを取り付けてなる遊技機において、
前記操作ボタンの外観を形成するスイッチケースの外周に、環状保持部材を抜け止め可能に外嵌し、前記環状保持部材を、前記操作部表装板の表面に露出する前記スイッチケースの飾り鍔部の周りを囲むように立設する囲い壁部と、前記囲い壁部の外側から前記操作部表装板の裏側に潜り込むように外方へ延出する係合鍔部とを一体的に形成すると共に、前記操作部表装板を、前記取付孔が２分割されるように分割し、前記環状保持部材を、２分割された前記操作部表装板の取付孔に挟み込まれるように固定することによって、前記操作ボタンを前記環状保持部材を介して前記操作部表装板に固定したことを特徴とする遊技機。
【請求項２】
前記環状保持部材の係合鍔部は、前記操作部表装板における前記取付孔の周辺近傍設けた係合溝に前記取付孔の開口方向に対して嵌合することを特徴とする請求項１記載の遊技機。
【発明の詳細な説明】
【技術分野】
【０００１】
本発明は、前扉の操作部表装板に設けた取付孔に操作ボタンを取り付けた遊技機に関する。
【背景技術】
【０００２】
パチンコ機、スロットマシン等の遊技機においては、筐体の前面に設けられた前扉の操作部表装板には遊技を実行するときに操作される操作ボタンが配置される。操作ボタンは、操作部表装板に設けた取付孔に押し込んで、操作部表装板の裏側からＵ字状の保持部材を操作ボタンのスイッチケースに係合することによって操作部表装板に取り付けられる（例えば、特許文献１参照）。
【０００３】
【特許文献１】特開２００７−６８８６５号公報
【発明の開示】
【発明が解決しようとする課題】
【０００４】
特許文献１に記載されたような遊技機においては、スイッチケースと取付孔との間の隙間から不正具が挿入される等の不正行為が行われないように、操作ボタンを操作部表装板に強固に取り付けるには、操作部表装板の取付孔周辺部の板厚を厚くする必要がある。しかし、操作ボタンの取付位置が操作部表装板のコーナー部近傍である等の場合には、取付孔周辺部の板厚を厚くすると、樹脂成型時にヒケや変形が発生するおそれがあり、取付孔周辺に十分な厚みを設定することはできない。
【０００５】
本発明は、上述のような課題に鑑み、操作ボタンを取付位置に関係なく操作部表装板に強固に取り付けることができるようにした遊技機を提供することを目的とする。
【課題を解決するための手段】
【０００６】
上記目的を達成するため、本発明は、前扉の操作部表装板に設けた取付孔に操作ボタンを取り付けてなる遊技機において、前記操作ボタンの外観を形成するスイッチケースの外周に、環状保持部材を抜け止め可能に外嵌し、前記環状保持部材を、前記操作部表装板の表面に露出する前記スイッチケースの飾り鍔部の周りを囲むように立設する囲い壁部と、前記囲い壁部の外側から前記操作部表装板の裏側に潜り込むように外方へ延出する係合鍔部とを一体的に形成すると共に、前記操作部表装板を、前記取付孔が２分割されるように分割し、前記環状保持部材を、２分割された前記操作部表装板の取付孔に挟み込まれるように固定することによって、前記操作ボタンを前記環状保持部材を介して前記操作部表装板に固定。この構成により、操作ボタンの取付位置を操作部表装板のコーナー付近に設定した場合であっても、操作ボタンを、環状保持部材を介して、操作部表装板の取付孔に強固に取り付けることができ、不正行為を確実に阻止することができる。さらに、囲い壁部及び係合鍔部によって、取付孔の隙間からの不正具の侵入を阻止して、不正行為をより確実に阻止することができる。
【０００８】
本発明はさらに、前記環状保持部材の係合鍔部は、前記操作部表装板における前記取付孔の周辺近傍設けた係合溝に前記取付孔の開口方向に対して嵌合する。この構成により、操作ボタンのスイッチケースを操作部表装板の取付孔により強固に取り付けることができる。
【発明の効果】
【０００９】
本発明は、２分割された操作部表装板の取付孔に挟み込まれるように固定される環状保持部材を介して、操作ボタンが操作部表装板に取り付けられるため、操作ボタンを取付位置に関係なく操作部表装板に強固に取り付けることができる。
【発明を実施するための最良の形態】
【００１０】
図１は、本発明の一実施形態を適用した遊技機（スロットマシン）の斜視図である。なお、以下の説明においては、図１における左斜め下方を「前方」とし、右斜め上方を「後方」とし、左斜め上方を「左方」とし、右斜め下方「右方」とする。
【００１１】
遊技機１は、遊技媒体を円板状のメダル（コインも含む）とし、メダルを筐体２の前面に開閉可能に支持された前扉３の前面右側に設けたメダル投入部４に投入することによって所定のゲームが行われるものである。
【００１２】
なお、本実施形態において、遊技機１を遊技媒体がメダルとするスロットマシンとして説明するが、本発明は、これに特定されるものでなく、遊技機１を遊技媒体がパチンコ玉であるパチンコ機またはスロットマシンとしても良い。
【００１３】
筺体２内には、外周面に複数種類の図柄、数字等で構成される識別情報が描かれた左、中、右３個の回転リール５、メダルを貯留及び払出可能なホッパーユニット（図示略）、遊技全体を統括的に制御する主制御基板（図示略）、主制御基板の指令に基づいて制御信号を出力可能な各種御基板（図示略）、及び主制御基板やその他の電気機器へ電力を供給する電源装置（図示略）等が収容されている。
【００１４】
前扉３の前面に設けられた合成樹脂製の操作部表装板６の上面には、クレジット状態（ゲームが入賞したとき賞品として付与されるメダルやメダル投入部４に投入されたメダルを主制御基板に設けたメモリに電気的に蓄積する状態）のメダルをゲームに投資するときに操作される操作ボタンをなすＭＡＸベットボタン７と、クレジット状態のメダルを精算するときに操作される精算ボタン１０と、メダルを借り入れるときに操作されるベットボタン１１が設けられ、また同じく前面には、各回転リール５を回転させるときに操作されるスタートレバー８と、各回転リール５の回転を停止させるときに操作される３個のストップボタン９が設けられている。なお、ＭＡＸベットボタン７、スタートレバー８、ストップボタン９、精算ボタン１０及びベットボタン１１の内部には、各操作を検出可能なセンサがそれぞれ内蔵されている。
【００１５】
なお、本実施形態において、本発明に係わる操作ボタンをＭＡＸベットボタン７として説明するが、本発明は、これに限定されるものではなく、操作ボタンを、ストップボタン９、精算ボタン１０またはベットボタン１１としても良い。
【００１６】
遊技機１のゲームは、遊技者がメダルをメダル投入部４に投入するか、ＭＡＸベットボタン７またはベットボタン１１のいずれかを操作してメダルの賭数を設定した後、スタートレバー８を操作して、全ての回転リール５を回転させることによって開始される。
【００１７】
回転リール５が回転して所定時間が経過した後、３個のストップボタン９を順次操作して、各回転リール５の回転を停止させ、有効ラインに並ぶ各回転リール５の識別情報の組み合わせにより、入賞の有無、及び賞の大小に応じたメダルの配当枚数が確定される。入賞した場合には、配当枚数に相当する数値がクレジット数に加算されるか、メダルがホッパーユニットから前扉３の下部に設けられた受け皿３１内に払い出される。
【００１８】
図２は、ＭＡＸベットボタン７及び後述の環状保持部材１２の斜視図、図３は、前方から見た操作部表装板６の分解斜視図、図４は、同じく後方から見た分解斜視図、図５は、操作部表装板６の平面図、図６は、図５におけるVI−VI線断面図、図７は、図５におけるVII−VII線断面図である。
【００１９】
ＭＡＸベットボタン７は、外観を形成する鍔付き筒状の合成樹脂製のスイッチケース７１に、押し込み操作可能な操作部７２を収容することにより形成される。スイッチケース７１の外周には、スイッチケース７１を補強する合成樹脂製の環状保持部材１２が外嵌される。
【００２０】
図３、４に示すように、操作部表装板６は、操作ボタン７が取り付けられる取付孔が２分割されるように、合成樹脂製の前表装板６１と合成樹脂製の後表装板６２とに２分割されている。したがって、前表装板６１における上面部６１２後縁には、取付孔の前半分を形成する半円状の切欠部６１４が形成される。また、後表装板６２における前縁には、取付孔の後半分を形成する半円状の切欠部６２１が形成される。
【００２１】
前表装板６１は、ほぼ垂直方向の前面部６１１の上下部に上面部６１２及び下面部６１３を連続形成した側面視ほぼコ字型をなしている。後表装板６２は、その前縁が前表装板６１の上面部６１２の後縁に突き合わせた状態で、前表装板６１と共に前扉３の前面に固定される。
【００２２】
スタートレバー８、ストップボタン９は、前表装板６１の前面部６１１に取り付けられる。精算ボタン１０、ベットボタン１１は、後表装板６２に取り付けられる。また、ＭＡＸベットボタン７は、２分割された前表装板６１と後表装板６２との間に取り付けられる。
【００２３】
スイッチケース７１は、上部外周に操作部表装板６の表面に露出する飾り鍔部７１１を有し、飾り鍔部７１１の下方には、環状保持部材１２に対して抜け止め可能に係合する左右１対の弾性片７１２、７１２が設けられている。
【００２４】
環状保持部材１２は、スイッチケース７１に下方から外嵌することによって、図７に示すように、飾り鍔部７１１の下面と左右の弾性片７１２との間に挟み込まれた状態でスイッチケース７１に固定される。
【００２５】
環状保持部材１２には、スイッチケース７１の飾り鍔部７１１の下側に重合する座部１２２と、飾り鍔部７１１の周りを囲む環状の囲い壁部１２１と、囲い壁部１２１の外側から外方へ延出し、前表装板６１における切欠部６２１周辺の下面に潜り込むように係合する係合鍔部１２３が一体的に形成されている。さらに、環状保持部材１２の左右両側部には、ボルト１３により後表装板６２の内側に固定される耳部１２４が設けられている。
【００２６】
環状保持部材１２の係合鍔部１２３は、前表装板６１における切欠部６２１周辺の下面に潜り込むと共に、前表装板６１における切欠部６１４に下側に設けた係合溝６１５に上下方向、すなわち取付孔の開口方向に対して嵌合する。
【００２７】
次に、ＭＡＸベットボタン７の取り付け要領について説明する。先ず、環状保持部材１２を予めＭＡＸベットボタン７のスイッチケース７１に外嵌した状態で、環状保持部材１２の外周の後半分を、後表装板６２の切欠部６２１に嵌合した状態で、環状保持部材１２の耳部１２４をボルト１３により後表装板６２の内側に固定する。次いで、前表装板６１における上面部６１２の後縁と、後表装板６２の前縁とを突き合わせた状態で、両表装板６１、６２を、図示略のボルトにより、前扉３の前面に固定する。
【００２８】
上述により、ＭＡＸベットボタン７は、２分割された前表装板６１の切欠部６１４と後表装板６２の切欠部６２１との間に挟み込まれるように固定された環状保持部材１２を介して操作部表装板６に取り付けられる。これにより、ＭＡＸベットボタン７の取付位置を操作部表装板６のコーナー付近、例えば、前表装板６１の上面部６１２と前面部６１１との間のコーナー近くに設定した場合であっても、ＭＡＸベットボタン７を、操作部表装板６の取付孔に強固に取り付けることができ、不正行為を確実に阻止することができる。
【００２９】
また、ＭＡＸベットボタン７を操作部表装板６に取り付けた状態においては、主に図７に示すように、環状保持部材１２の囲い壁部１２１は、操作部表装板６の表面に露出するスイッチケース７１の飾り鍔部７１１の周りを囲むように、飾り枠部７１１の外周縁と各切欠部６１４、６２１の内縁との間に介在し、また、係合鍔部１２３は、前表装板６１における切欠部６１４周辺の下面に潜り込むように係合する。これにより、各切欠部６１４、６２１とスイッチケース７１との間の隙間を閉塞し、不正具の侵入を阻止して、不正行為を確実に阻止することができる。さらに、環状保持部材１２の係合鍔部１２３が、前表装板６１の係合溝６１５に嵌合するため、ＭＡＸベットボタン７を操作部表装板６の取付孔に強固に取り付けることができる。
【図面の簡単な説明】
【００３０】
【図１】本発明の一実施形態を適用した遊技機の斜視図である。
【図２】ＭＡＸベットボタン及び環状保持部材の斜視図である。
【図３】前方から見た操作部表装板の分解斜視図である。
【図４】後方から見た操作部表装板の分解斜視図である。
【図５】操作部表装板の平面図である。
【図６】図５におけるVI−VI線断面図である。
【図７】図５におけるVII−VII線断面図である。
【符号の説明】
【００３１】
１  遊技機（スロットマシン）
２  筐体
３  前扉
４  メダル投入部
５  回転リール
６  操作部表装板
７  ＭＡＸベットボタン（操作ボタン）
８  スタートレバー
９  ストップボタン
１０  精算ボタン
１１  ベットボタン
１２  環状保持部材
１３  ボルト
３１  受皿
６１  前表装板
６２  後表装板
７１  スイッチケース
７２  操作部
１２１  囲い壁部
１２２  座部
１２３  係合鍔部
１２４  耳部
６１１  前面部
６１２  上面部
６１３  下面部
６１４  切欠部（取付孔）
６１５  係合溝
６２１  切欠部（取付孔）
７１１  飾り鍔部
７１２  弾性片
【図１】
0005079553.tif 000002
【図２】
0005079553.tif 000003
【図３】
0005079553.tif 000004
【図４】
0005079553.tif 000005
【図５】
0005079553.tif 000006
【図６】
0005079553.tif 000007
【図７】
0005079553.tif 000008